(57)【要約】【課題】呼び出し中に発信側に流れるメロディーコールの内容を着信側に常に認識させることができ、また、メロディーコールのメロディーのバリエーションを増加できる移動通信システム、移動体端末装置及び通信方法を提供すること。【解決手段】本発明の移動通信システム１では、呼び出し期間中に発側移動機２におけるメロディーコールに関する情報が着側移動機４のユーザに対して通知されるため、発側移動機２でどのようなメロディーが流れているのかを着側移動機４のユーザに認識させることができる。また、着側移動機４のユーザにより登録されたメロディーが所定のタイミングで自動更新されるため、サービス性の向上を図ることができる。【選択図】図７
2008109365.tif 000002
【特許請求の範囲】
【請求項１】
発信側移動端末と、着信側移動端末と、これらの移動端末とネットワークを介して接続されたサーバと、を備えた移動通信システムであって、前記サーバは、前記着信側移動端末のユーザによって予め登録された音源情報に基づくメロディーを記憶する登録メロディー記憶手段と、前記発信側移動端末が前記着信側移動端末に対する通信を開始してから前記着信側移動端末が前記発信側移動端末との通話を開始するまでの呼び出し期間中に、前記登録メロディー記憶手段に記憶された前記着信側移動端末に固有のメロディーを前記発信側移動端末に対して送信するメロディー送信手段と、前記呼び出し期間中に、前記発信側移動端末に対して送信されているメロディーに関する情報を前記着信側移動端末に対して送信する情報送信手段と、を有していることを特徴とする移動通信システム。
【請求項２】
前記サーバは、前記登録メロディー記憶手段に記憶された前記着信側移動端末に固有のメロディーを所定の更新タイミングで自動更新する更新手段を更に有していることを特徴とする請求項１記載の移動通信システム。
【請求項３】
前記サーバは、音源情報を記憶する音源情報記憶手段を更に有し、前記音源情報記憶手段に記憶されている音源情報の中から前記着信側移動端末のユーザによって選択された１つ以上の音源情報に基づくメロディーが前記登録メロディー記憶手段に記憶されることを特徴とする請求項１又は請求項２記載の移動通信システム。
【請求項４】
音源情報を記憶するデータベースを更に備え、前記データベースに記憶されている音源情報の中から前記着信側移動端末のユーザによって選択された１つ以上の音源情報に基づくメロディーが前記サーバの前記登録メロディー記憶手段に記憶されることを特徴とする請求項１又は請求項２記載の移動通信システム。
【請求項５】
相手側の端末からの通信に対して応答するまでの呼び出し期間中に相手側の端末で流れるメロディーに関する音源情報をネットワークを介してサーバから受ける受信手段と、前記受信手段により受信されたメロディーに関する前記音源情報に基づいて当該メロディーの楽曲名を表示する表示手段と、を備えていることを特徴とする移動体端末装置。
【請求項６】
前記受信手段により受信されたメロディーに関する前記音源情報に基づいて当該メロディーを音響的に出力する出力手段を更に有していることを特徴とする請求項５記載の移動体端末装置。
【請求項７】
前記呼び出し期間中に相手側の端末で流すためのメロディーに関する音源情報を前記サーバに対して登録するための登録手段を更に有していることを特徴とする請求項５又は請求項６記載の移動体端末装置。
【請求項８】
前記登録手段によって登録される情報は、前記呼び出し期間中に相手側の端末で流れるメロディーの更新時期及び更新内容を含んでいる請求項５から請求項７のいずれかに記載の移動体端末装置。
【請求項９】
発信側移動端末と、着信側移動端末と、これらの移動端末とネットワークを介して接続されたサーバとの間で通信を行なうための通信方法であって、前記着信側移動端末のユーザによって予め登録された音源情報に基づくメロディーを前記サーバに記憶するステップと、前記発信側移動端末が前記着信側移動端末に対する通信を開始してから前記着信側移動端末が前記発信側移動端末との通話を開始するまでの呼び出し期間中に、前記サーバに記憶された前記着信側移動端末に固有のメロディーを前記発信側移動端末に対して送信するステップと、前記呼び出し期間中に、前記発信側移動端末に対して送信されているメロディーに関する情報を前記着信側移動端末に対して送信するステップと、を含むことを特徴とする通信方法。
【請求項１０】
前記サーバに記憶された前記着信側移動端末に固有のメロディーを所定の更新タイミングで自動更新するステップを更に含むことを特徴とする請求項９記載の通信方法。
【発明の詳細な説明】
【技術分野】
【０００１】
本発明は、移動端末通信システム、移動体端末装置及び通信方法に関し、特に、発信側移動端末から着信側移動端末への呼び出し中に発信側移動端末でメロディーコールを流すことができる移動端末通信システム、移動体端末装置及び通信方法に関する。
【背景技術】
【０００２】
従来、通話を行う際のエンターテイメント性を向上させるため、発信側移動端末から着信側移動端末への呼び出し中に発信側移動端末でメロディーコールを流すことができるシステムが知られている（例えば、特許文献１参照）。
【０００３】
このようなシステムによれば、発信者に待ち時間を意識させずに済み、また、発信側ユーザと着信側ユーザとの間にコミュニケーションの新たなきっかけを与えることもできる。
【特許文献１】特開２００４−２００７３１号公報
【発明の開示】
【発明が解決しようとする課題】
【０００４】
しかしながら、このようなメロディーコールを提供するシステムにおいて、呼び出し中のメロディーを設定するのは着信側のユーザであるが、実際にメロディーを聴くのは発信側のユーザであるため、着信側のユーザ（設定側のユーザ）は、呼び出し中に発信側のユーザに対してメロディーコールを実施しているのか否か、また、実施している場合にはどのようなメロディーを流しているのかについての認識が薄くなるという問題がある。
【０００５】
また、従来において、メロディーコールの設定を変更するためには、メロディーコールサイトにアクセスしなければならないため、多くのユーザは、一度設定した音源（メロディーコール）を変更しないまま放置してしまう傾向がある。その結果、メロディーコールのメロディーが変わらず、発信側のユーザに対して興趣や驚きを与えることができなくなる虞がある。
【０００６】
本発明はかかる点に鑑みてなされたものであり、呼び出し中に発信側に流れるメロディーコールの内容を着信側に常に認識させることができ、また、メロディーコールのメロディーのバリエーションを増やすことができる移動端末通信システム、移動体端末装置及び通信方法を提供することを目的とする。
【課題を解決するための手段】
【０００７】
本発明の移動通信システムは、発信側移動端末と、着信側移動端末と、これらの移動端末とネットワークを介して接続されたサーバと、を備えた移動通信システムであって、前記サーバは、前記着信側移動端末のユーザによって予め登録された音源情報に基づくメロディーを記憶する登録メロディー記憶手段と、前記発信側移動端末が前記着信側移動端末に対する通信を開始してから前記着信側移動端末が前記発信側移動端末との通話を開始するまでの呼び出し期間中に、前記登録メロディー記憶手段に記憶された前記着信側移動端末に固有のメロディーを前記発信側移動端末に対して送信するメロディー送信手段と、前記呼び出し期間中に、前記発信側移動端末に対して送信されているメロディーに関する情報を前記着信側移動端末に対して送信する情報送信手段とを有していることを特徴とする。
【０００８】
本発明の移動体端末装置は、相手側の端末からの通信に対して応答するまでの呼び出し期間中に相手側の端末で流れるメロディーに関する音源情報をネットワークを介してサーバから受ける受信手段と、前記受信手段により受信されたメロディーに関する前記音源情報に基づいて当該メロディーの楽曲名を表示する表示手段と、を備えていることを特徴とする。
【０００９】
本発明の通信方法は、発信側移動端末と、着信側移動端末と、これらの移動端末とネットワークを介して接続されたサーバとの間で通信を行なうための通信方法であって、前記着信側移動端末のユーザによって予め登録された音源情報に基づくメロディーを前記サーバに記憶するステップと、前記発信側移動端末が前記着信側移動端末に対する通信を開始してから前記着信側移動端末が前記発信側移動端末との通話を開始するまでの呼び出し期間中に、前記サーバに記憶された前記着信側移動端末に固有のメロディーを前記発信側移動端末に対して送信するステップと、前記呼び出し期間中に、前記発信側移動端末に対して送信されているメロディーに関する情報を前記着信側移動端末に対して送信するステップとを含むことを特徴とする。
【００１０】
なお、上記構成において、移動端末は、呼び出し期間中に相手側の端末で流すためのメロディーに関する音源情報をサーバに対して登録するための登録手段を有していることが好ましい。その場合、前記登録手段は、データベースから音源情報をダウンロードしてそれをサーバにアップロードできることが好ましい。また、前記データベースは、着信側移動端末のユーザによって選択された１つ以上の音源情報をサーバに転送する転送手段を有していても良い。
【発明の効果】
【００１１】
本発明によれば、呼び出し期間中に発信側でのメロディーコールに関する情報を着信側のユーザに対して通知するため、発信側でどのようなメロディーが流れているのかを着信側のユーザに認識させることができる（呼び出し中に発信側に流れるメロディーコールの内容を着信側に常に認識させることができる）。そのため、着信側のユーザは、メロディーコールサイト等にアクセスすることなくメロディーコールの設定（登録）状態を確認することが可能になる。また、設定されているメロディーの情報を呼び出しの度に着信側のユーザに知らせるため、このことが、メロディーの設定変更を着信側のユーザに促す契機ともなり得る。そのため、メロディーの利用促進を図ることもできる。
【００１２】
また、本発明の一態様によれば、着信側のユーザにより設定（登録）されたメロディーが所定のタイミングで自動更新されるため（ユーザが操作することなく定期的に音源が入れ替わるため）、サービス性向上を図ることができるとともに、発信側のユーザに驚きや新鮮味を与えることもでき、発信側ユーザと着信側ユーザとの間にコミュニケーションの新たなきっかけを与えることもできる（メロディーコールのメロディーのバリエーションを増加できる）。
【発明を実施するための最良の形態】
【００１３】
以下、本発明の実施の形態について添付図面を参照して詳細に説明する。
図１には、本実施の形態に係る移動通信システム１の概念図が示されている。図示のように、移動通信システム１は、通信を発する発信側移動端末としての発側移動機（携帯電話）２と、通信を受ける着信側移動端末としての着側移動機（携帯電話）４と、サーバ１０とを備えており、これらのシステム構成要素２，４，１０は、所定のプロトコルに従うネットワーク上で互いに通信することができる。
【００１４】
また、このシステム１において、サーバ１０は、以下で詳しく説明するように、発側移動機２が着側移動機４に対する通信を開始してから着側移動機４が発側移動機２との通話を開始するまでの期間（以下、呼び出し期間という）中に、着側移動機４のユーザによって予め登録された音源情報に基づくメロディーを発側移動機２に対して送信するとともに、前記呼び出し期間中に、発側移動機２に対して送信されているメロディーに関する情報を着側移動機４に対して送信し、また、発側移動機２で流れるメロディーを所定の更新タイミングで自動更新するようになっている。
【００１５】
なお、以下では、発側移動機２で行なわれる前記メロディーを伴う呼び出しを「メロディーコール」と称する。また、本実施の形態において、発側移動機２が着側移動機となり、着側移動機４が発側移動機となり得ることは言うまでもない。その場合、発側移動機２及び着側移動機４は同一の機能を備えるが、以下では、簡単且つ明確のため、発側移動機２から着側移動機４への通信に関して説明することにする。
【００１６】
図２に示されるように、着側移動機４（発側移動機２）は、通信制御部２０と、メーリングメッセージを作成したり電話番号を入力するための入力部２２と、各種のデータが格納される記憶部２８と、文字情報や画像情報等を表示するとともに記憶部２８に格納された各種データを表示可能な表示手段としての表示部２４と、音声を出力するための出力手段を構成する音声出力部３０と、呼び出し期間中に発側移動機２で流されるべきメロディーに関する音源情報をサーバ１０に対して登録するための登録手段を構成するメロディー登録部２６と、これらの構成要素２０，２２，２４，２６，２８，３０を統括制御するためのＣＰＵ３２とを有している。なお、この場合、入力部２２がメロディー登録部２６を兼ねていても良い。また、図１に示されるようにサーバ１０へのメロディー登録をパーソナルコンピュータ（ＣＰ）１２により行なえる場合には、メロディー登録部２６が着側移動機４に設けられていなくても良い。
【００１７】
図２の構成において、通信制御部２０は、呼び出し期間中に発側移動機２で流れるメロディーに関する音源情報をネットワークを介してサーバ１０から受ける受信手段としても機能する。また、表示部２４は、通信制御部２０により受信されたメロディーに関する音源情報に基づいて、例えば記憶部２８に記憶されたメロディー対応情報などから（あるいは、そのような対応情報を得ることなく）ＣＰＵ３２の制御・処理により前記メロディーの楽曲名を表示することができる。また、音声出力部３０は、通信制御部２０により受信されたメロディーに関する前記音源情報に基づいて当該メロディーをＣＰＵ３２の制御下で音響的に出力できるようになっている。
【００１８】
一方、図３に示されるように、サーバ１０は、通信制御部１３と、着側移動機４のユーザによって予め登録された音源情報に基づくメロディーを記憶する登録メロディー記憶手段としての登録メロディー記憶部１６と、登録メロディー記憶部１６に記憶された着側移動機４に固有のメロディーを所定の更新タイミングで自動更新する更新手段としてのメロディー更新部１５と、前記メロディーに関する多数の音源情報が記憶されている音源情報記憶手段としての音源情報記憶部１７と、これらの構成要素１３，１５，１６，１７を統括制御するためのＣＰＵ１４とを有している。この場合、通信制御部１３は、登録メロディー記憶部１６に記憶された着側移動機４に固有のメロディー（呼び出し期間中に発側移動機２で流されるべきメロディーとして着側移動機４のユーザが登録した音源情報）を呼び出し期間中に発側移動機２に対して送信するメロディー送信手段としてのメロディー送信部１３Ａと、呼び出し期間中に発側移動機２に対して送信されているメロディーに関する情報を当該呼び出し期間中に着側移動機４に対して送信する情報送信手段としてのメロディー情報送信部１３Ｂとを含んでいる。
【００１９】
ここで、呼び出し期間中に発側移動機２で流されるべきメロディー（メロディーコールに係るメロディー）に関する音源情報を着側移動機４のユーザがサーバ１０に対して登録する登録方法について説明すると、この登録方法としては、パーソナルコンピュータ１２を介して行なう方法（図１参照）と、着側移動機４（メロディー登録部２６を介して）から直接に行なう方法とがある。いずれにしても、登録される音源情報は、例えば図１に示されるような音源ＢＯＸの形態で着側移動機４の電話番号毎にサーバ１０の登録メロディー記憶部１６に記憶される。この場合、登録メロディー記憶部１６に記憶される（あるいは、メロディー登録部２６によって登録できる）情報としては、音源の種類Ａ，Ｂ，Ｃ・・・以外に、例えば、呼び出し期間中に発側移動機２で流れるメロディー（音源）の更新時期及び更新内容も含まれる。具体的には、例えば、着側移動機４のユーザは、パーソナルコンピュータ１２又はメロディー登録部２６により、サーバ１０の音源情報記憶部１７に記憶されている音源情報の中から１つ以上の音源情報に基づくメロディーＡ，Ｂ，Ｃ・・・を選択して登録メロディー記憶部１６に記憶させる。このとき、更新を１ヶ月区切りとして行なう場合（更新タイミングが１ヶ月）には、例えば、１ヶ月目に音源Ａ、２ヶ月目に音源Ｂ、３ヶ月目に音源Ｃ、４ヶ月目に音源Ｄ・・・，を設定する。これにより、サーバ１０は、１ヶ月目には呼び出し期間中に音源Ａを発側移動機２に送信する（音源Ａが発側移動機２において流れる）が、２ヶ月目に入ると、送信音源をＡからＢへ切り換える（音源Ｂが発側移動機２において流れる）。無論、登録する月数は任意であり、また、図４の「更新コンテンツ情報」に示されるように、各月に複数の音源を設定しても構わない。その場合には、それぞれの音源設定期間（日数）が均一となるようにサーバ１０側で自動判別することが好ましい。また、例えば３ヶ月までの登録の場合、更新内容は、１ヶ月目→２ヶ月目→３ヶ月目→１ヶ月目→・・・のように繰り返されても良い。更に、更新月以外の月であれば、コンテンツの内容、更新内容を逐次修正・追加できることが好ましい。また、音源情報と共に、図４に示されるような自動更新情報（自動更新メタ情報）が登録メロディー記憶部１６に記憶されても良い。この自動更新メタ情報は、自動更新コンテンツの親となるメタ情報であり、管理Ｗｅｂ上で手入力により登録される。このような自動更新メタ情報としては、例えば、コンテンツ名、アーティスト名、サイトＩＤ、課金額などが挙げられる。
【００２０】
次に、上記構成のシステム１を用いたメロディーコールサービス（通信方法）の具体的な実施例について幾つか説明する。
【００２１】
図５及び図６はそのようなメロディーコールサービスの第１の実施例を示している。この実施例では、図５に模式的に示されるように、サーバ１０の登録メロディー記憶部１６に記憶された着側移動機４に固有のメロディー（呼び出し期間中に発側移動機２で流されるべきメロディーとして着側移動機４のユーザが予め登録した音源情報）が呼び出し期間中にサーバ１０から発側移動機２に対して送信され、また、この呼び出し期間中に、発側移動機２に対して送信されているメロディーの楽曲名がメロディーに関する情報としてサーバ１０から着側移動機４に対して送信される。
【００２２】
具体的には、図６に示されるように、まず、着側移動機４のユーザは、呼び出し期間中に発側移動機２で流されるべきメロディーに関する情報を前述したようにサーバ１０に対して予め登録しておく。これにより、発側移動機２が着側移動機４に対する通信を開始して、発側移動機２から着側移動機４に対して呼出要求がなされると、その呼出情報がネットワーク（コアＮＷ）を介してサーバ１０に伝えられ、それに基づいて、登録されているメロディーがサーバ１０のメロディー送信部１３Ａから発側移動機２に対して送信される。その結果、発側移動機２の音声出力部を構成するスピーカから当該メロディーが流れる。また、これと同時に、発側移動機２で流れているメロディーの楽曲名（例えば「大きな古時計」）がメロディーに関する情報（楽曲情報）としてサーバ１０のメロディー情報送信部１３Ｂから着側移動機４に対して送信されて着側移動機４の表示部２４（着信中の画面の所定の領域）に表示される。また、このとき、表示部２４には、発側移動機２のユーザの名前も表示される。
【００２３】
なお、発側移動機２で流れるメロディーは、前述したようにサーバ１０のメロディー更新部１５により所定の更新タイミングで自動更新される。
【００２４】
図７及び図８はメロディーコールサービスの第２の実施例を示している。この実施例では、図７に模式的に示されるように、サーバ１０の登録メロディー記憶部１６に記憶された着側移動機４に固有のメロディー（呼び出し期間中に発側移動機２で流されるべきメロディーとして着側移動機４のユーザが予め登録した音源情報）が呼び出し期間中にサーバ１０から発側移動機２に対して送信され、また、この呼び出し期間中に、発側移動機２に対して送信されているメロディー及びその楽曲名がメロディーに関する情報としてサーバ１０から着側移動機４に対して送信される。
【００２５】
具体的には、図８に示されるように、まず、着側移動機４のユーザは、呼び出し期間中に発側移動機２で流されるべきメロディーに関する情報を前述したようにサーバ１０に対して予め登録しておく。これにより、発側移動機２が着側移動機４に対する通信を開始して、発側移動機２から着側移動機４に対して呼出要求がなされると、その呼出情報がネットワーク（コアＮＷ）を介してサーバ１０に伝えられ、それに基づいて、登録されているメロディーがサーバ１０のメロディー送信部１３Ａから発側移動機２に対して送信される。その結果、発側移動機２の音声出力部を構成するスピーカから当該メロディーが流れる。また、これと同時に、発側移動機２で流れているメロディー及びその楽曲名（例えば「大きな古時計」）がメロディーに関する情報（楽曲情報）としてサーバ１０のメロディー情報送信部１３Ｂから着側移動機４に対して送信される。これにより、着側移動機４の音声出力部３０から前記メロディーが流れるとともに、着側移動機４の表示部２４（着信中の画面の所定の領域）にメロディーの楽曲名が表示される。また、この場合も、表示部２４には、発側移動機２のユーザの名前も表示される。
【００２６】
なお、発側移動機２及び着側移動機４で流れるメロディーは、前述したようにサーバ１０のメロディー更新部１５により所定の更新タイミングで自動更新される。
【００２７】
図９及び図１０はメロディーコールサービスの第３の実施例を示している。この実施例では、図９に模式的に示されるように、音源情報を記憶するデータベース８０が更に設けられ、このデータベース８０に記憶されている音源情報の中から着側移動機４のユーザによって選択された１つ以上の音源情報に基づくメロディーがサーバ１０の登録メロディー記憶部１６に記憶されるようになっている。特に、本実施例では、発側移動機２からの着信時に着側移動機４において流れるべき着信メロディーを着側移動機４のユーザが予めデータベース８０から着側移動機４へダウンロードし、その音源情報を着側移動機４からサーバ１０へアップロードすることにより、着信メロディーをサーバ１０の登録メロディー記憶部１６に記憶させてそれを発側移動機２におけるメロディーコールとして利用させようとするものである。ただし、この場合、呼び出し期間中に、発側移動機２に対して送信されているメロディー及びその楽曲名がメロディーに関する情報としてサーバ１０から着側移動機４に対して送信されることはなく、その代わり、着側移動機４からサーバ１０へ着信メロディーに関する音源情報がアップロードされた際に、サーバ１０から着側移動機４に対してメロディーに関するＩＤが通知される。そして、このＩＤに基づいて呼び出し期間中に着側移動機４で着信メロディーが流れるとともにその楽曲名が表示されることになる。
【００２８】
具体的には、図１０に示されるように、まず、着側移動機４のユーザは、データベース８０から所望の着信メロディーをダウンロードする。その後、着側移動機４のユーザは、メロディー登録部２６を用いて、その着信メロディーに関する音源情報をサーバ１０へアップロードして登録メロディー記憶部１６に記憶させる。また、このとき、サーバ１０から着側移動機４に対してメロディーに関するＩＤが通知される。このＩＤは、例えばメロディー対応情報として着側移動機４の記憶部２８に記憶される。したがって、この状態で、発側移動機２が着側移動機４に対する通信を開始して、発側移動機２から着側移動機４に対して呼出要求がなされると、その呼出情報がネットワーク（コアＮＷ）を介してサーバ１０に伝えられ、それに基づいて、登録されているメロディー（すなわち、着側移動機４における着信メロディー）がサーバ１０のメロディー送信部１３Ａから発側移動機２に対して送信される。その結果、発側移動機２の音声出力部を構成するスピーカから当該メロディーが流れる。また、これと同時に、前記ＩＤに基づいて着側移動機４の音声出力部３０から着信メロディーが流れるとともに、着側移動機４の表示部２４（着信中の画面の所定の領域）に着信メロディーの楽曲名が表示される。また、この場合も、表示部２４には、発側移動機２のユーザの名前も表示される。
【００２９】
なお、発側移動機２及び着側移動機４で流れるメロディーは、前述したようにサーバ１０のメロディー更新部１５により所定の更新タイミングで自動更新される。
【００３０】
図１１及び図１２はメロディーコールサービスの第４の実施例を示している。この実施例においても、図１１に模式的に示されるように、音源情報を記憶するデータベース８０が更に設けられ、このデータベース８０に記憶されている音源情報の中から着側移動機４のユーザによって選択された１つ以上の音源情報に基づくメロディーがサーバ１０の登録メロディー記憶部１６に記憶されるようになっているが、着側移動機４のユーザによって選択された１つ以上の音源情報がデータベース８０から直接にサーバ１０へ転送される点が第３の実施例と異なる。なお、それ以外の点、すなわち、着側移動機４における着信メロディーが発側移動機２におけるメロディーコールとして利用される点は第３の実施例と同じである。
【００３１】
具体的には、図１２に示されるように、まず、着側移動機４のユーザは、データベース８０から所望の着信メロディーをダウンロードする。このとき、ダウンロードされた着信メロディーに関する音源情報がデータベース８０からサーバ１０に対して転送され、当該着信メロディーに関する情報がメロディーコール用の音源情報として登録メロディー記憶部１６に記憶される。また、このとき、サーバ１０から着側移動機４に対してメロディーに関するＩＤが通知される。このＩＤは、例えばメロディー対応情報として着側移動機４の記憶部２８に記憶される。そして、この状態で、発側移動機２が着側移動機４に対する通信を開始して、発側移動機２から着側移動機４に対して呼出要求がなされると、その呼出情報がネットワーク（コアＮＷ）を介してサーバ１０に伝えられ、それに基づいて、登録されているメロディー（すなわち、着側移動機４における着信メロディー）がサーバ１０のメロディー送信部１３Ａから発側移動機２に対して送信される。その結果、発側移動機２の音声出力部を構成するスピーカから当該メロディーが流れる。また、これと同時に、前記ＩＤに基づいて着側移動機４の音声出力部３０から着信メロディーが流れるとともに、着側移動機４の表示部２４（着信中の画面の所定の領域）に着信メロディーの楽曲名が表示される。また、この場合も、表示部２４には、発側移動機２のユーザの名前も表示される。
【００３２】
なお、発側移動機２及び着側移動機４で流れるメロディーは、前述したようにサーバ１０のメロディー更新部１５により所定の更新タイミングで自動更新される。
【００３３】
以上説明したように、本実施の形態の通信システム１では、呼び出し期間中に発側移動機２におけるメロディーコールに関する情報が着側移動機４のユーザに対して通知されるため、発側移動機２でどのようなメロディーが流れているのかを着側移動機４のユーザに認識させることができる（呼び出し中に発側移動機２で流れるメロディーコールの内容を着側移動機４のユーザに常に認識させることができる）。そのため、着側移動機４のユーザは、メロディーコールサイト等にアクセスすることなくメロディーコールの設定（登録）状態を確認することが可能になる。また、設定されているメロディーの情報を呼び出しの度に着側移動機４のユーザに知らせるため、このことが、メロディーの設定変更を着側移動機４のユーザに促す契機ともなり得る。そのため、メロディーの利用促進を図ることもできる。
【００３４】
また、本実施の形態によれば、着側移動機４のユーザにより設定（登録）されたメロディーが所定のタイミングで自動更新されるため（ユーザが操作することなく定期的に音源が入れ替わるため）、サービス性向上を図ることができるとともに、発側移動機２のユーザに驚きや新鮮味を与えることもでき、発側移動機２のユーザと着側移動機４のユーザとの間にコミュニケーションの新たなきっかけを与えることもできる（メロディーコールのメロディーのバリエーションを増加できる）。
【００３５】
本発明は、上記実施の形態で説明した構成に限定されず、種々変更して実施することが可能である。例えば、本発明の範囲を逸脱しない限りにおいて、構成要素、処理手順などについて適宜変更して実施することが可能である。その他、本発明の範囲を逸脱しないで適宜変更して実施することが可能である。
【図面の簡単な説明】
【００３６】
【図１】本発明の一実施の形態に係る移動通信システムの概念図である。
【図２】移動通信システムを構成する移動端末の概略構成図である。
【図３】移動通信システムを構成するサーバの概略構成図である。
【図４】メロディーの自動更新に関する登録情報の一例を示している。
【図５】メロディーコールサービス（通信方法）の第１の実施例に係る模式図である。
【図６】図５の実施例におけるシステム構成要素間の信号のやりとりを示す図である。
【図７】メロディーコールサービス（通信方法）の第２の実施例に係る模式図である。
【図８】図７の実施例におけるシステム構成要素間の信号のやりとりを示す図である。
【図９】メロディーコールサービス（通信方法）の第３の実施例に係る模式図である。
【図１０】図９の実施例におけるシステム構成要素間の信号のやりとりを示す図である。
【図１１】メロディーコールサービス（通信方法）の第４の実施例に係る模式図である。
【図１２】図１１の実施例におけるシステム構成要素間の信号のやりとりを示す図である。
【符号の説明】
【００３７】
１  移動通信システム
２  発側移動機
４  着側移動機
１０  サーバ
１３Ａ  メロディー送信部
１３Ｂ  メロディー情報送信部
１５  メロディー更新部
１６  登録メロディー記憶部
１７  音源情報記憶部
２０  通信制御部
２４  表示部
２６  メロディー登録部
３０  音声出力部
８０  データベース
【図１】
2008109365.tif 000003
【図２】
2008109365.tif 000004
【図３】
2008109365.tif 000005
【図４】
2008109365.tif 000006
【図５】
2008109365.tif 000007
【図６】
2008109365.tif 000008
【図７】
2008109365.tif 000009
【図８】
2008109365.tif 000010
【図９】
2008109365.tif 000011
【図１０】
2008109365.tif 000012
【図１１】
2008109365.tif 000013
【図１２】
2008109365.tif 000014